(57)【要約】      （修正有）【課題】ばねの座屈を抑え、故障が少なく、強度及び耐久性が格段に向上したコンパクトな電気機器用のスライド式ばね機構を提供する。【解決手段】スライド式ばね機構１５は、ステンレス製の矩形状薄板の長手方向の左側面部１６ａ，右側面部１６ｂにそれぞれ波状湾曲部１７を形成し、各左，右側面部の波状湾曲部１７を所定の隙間部１８を持って薄板の底板上面側１６ｃの底板中央部１９に対峙させて折曲形成する共に、底板中央部１９には鋭角状に切起こした一対のスライド案内部２０を形成した相対移動部材１６と、ステンレス製の長尺状細幅薄板により形成され、スライド案内部１６に摺動するスライド係合部２３を有する左，右連結体２１，２２と、複数のばね部材とで構成する。複数のばね部材の上面は相対移動部材１６の波状湾曲部１７となるトンネル中に収納して覆う構成とした。【選択図】図１
0003159545.tif 000002
【実用新案登録請求の範囲】
【請求項１】
重合配設された上部部材及び下部部材の摺動面に取り付けられたスライドモジュール間に設置され、前記上部部材及び下部部材が相対移動によるスライドを可能としたスライド式ばね機構を有する電子機器用のスライド式ばね機構であって、
前記スライド式ばね機構は、ステンレス製の矩形状薄板の長手方向の左側面部，右側面部にそれぞれ波状湾曲部を形成し、各左側面部，右側面部の波状湾曲部を、前記薄板の底板上面側に対して一定の隙間部を持たせて底板中央部に対峙させて折曲形成した相対移動部材と、  
前記相対移動部材の両側に形成された左右の前記隙間部より先端部がそれぞれ前方側及び後方側に突設するようにスライド可能に収納されると共に、それぞれの先端部には前記重合配設された上部部材及び下部部材の摺動面に取り付けられたスライドモジュールと連結する取付部を有するステンレス製の長尺状細幅薄板に予って形成されたの左，右連結体と、
前記相対移動部の波状湾曲部と左，右連結体の上面側によって形成される隙間部に配設され、一端が前記相対移動部材に固定され、他端が前記左，右連結体に固定される複数のばね部材とから構成されていることを特徴とする電子機器用のスライド式ばね機構。
【請求項２】
前記相対移動部は、前記底板中央部に長手方向に底板平面に対して鋭角状に切起した一対のスライド案内部が形成されていることを特徴とする請求項１記載の電子機器用のスライド式ばね機構。
【請求項３】
前記左，右連結体には、前記スライド案内部に係合する摺動面を備えたスライド係合部と、前記波状湾曲部の折曲げ開放端の上面を摺動する保持部を有することを特徴とする請求項１または請求項２に記載の電子機器用のスライド式ばね機構。
【請求項４】
前記相対移動部材の前記底板中央部に形成した鋭角状に切起こした一対のスライド案内部の切起こし角度は２０度〜６０度、好ましくは４５度であることを特徴とする請求項１または請求項２項に記載の電子機器用のスライド式ばね機構。
【請求項５】
一端が前記相対移動部材の前，後部にそれぞれ形成した取付部に固定され、他端が前記左，右連結体に切起し形成した取着部に固定される複数のコイル状ばね部材とから構成し、前記下部部材に対して前記上部部材を所定移動範囲だけ相対移動させるまでは、前記上部部材が戻り方向へ戻り相対移動する戻り付勢が生じ、所定移動範囲だけ相対移動させると逆に進み方向に進み相対移動する進み付勢が生じるようにしたことを特徴とする請求項１記載の電子機器用のスライド式ばね機構。
【考案の詳細な説明】
【技術分野】
【０００１】
本考案は、電子機器用のスライド式ばね機構に関し、特にスライド式の開閉が要求される携帯電話機、ゲーム機、小型コンピュータ等のコンパクトな製品に使用するもので、例えば、携帯電話機などの電子機器に使用する場合は、操作部である下部部材と、これに重合される表示部となる上部部材の重合面にそれぞれ取り付けられたスライドモジュール間に設置して、前記上部，下部部材が容易に相対スライドできるようにした電子機器用のスライド式ばね機構に関する。
【背景技術】
【０００２】
例えば、現在一般に使用されている携帯電話機は、表示部及び操作部となる上部，下部部材を上下に重合して、使用時に一方の重合部を立ち起こして反転させ、前記表示部と操作部を開放状態にして使用に供するもの、或いは、前記重合面を前後方向あるいは左右方向にスライド移動させて表示部と操作部を開放して使用状態にする携帯電話機が知られている。
【０００３】
このような携帯電話機は、例えば特開２００２−３００２４３号公報，特開２００５−１０９９７，特開２００７−１１０７２６号公報，特許第４２１４１６９号公報に開示されている。
【０００４】
しかるに、前記携帯電話機の表示部と操作部とをスライドさせて開放状態にして使用するものにあっては、表示部と操作部の重合面に固着したスライドモジュール間に、重合面をスライドさせるばね機構を備えた相対移動装置が必要となる。
【０００５】
このような重合面をスライドさせるばね機構を備えた相対移動装置の構造については、前記特開２００７−１１０７２６号公報、特許第４２１４１６９号に開示されている。
【０００６】
前記特開２００７−１１０７２６号公報には、本体部に回転可能に連結される第一連結体と、該第一連結体に長手方向にスライド自在に連結されて重合部に回転可能に連結される第二連結体と、前記第一連結体と第二連結体との間に設置されてスライド付勢するスライド付勢体（スプリングバネ）とから構成されているものが開示されている。
【０００７】
また、特許第４２１４１６９号公報には、相対移動自在に連結する第一部材と第二部材との相対移動を付勢する相対移動付勢装置であって、前記第一部材に連結する第一連結体と、この第一連結体に対して離反方向に移動自在となり前記第二部材に連結する第二連結体と、前記第一連結体及び前記第二連結体に対して離反方向に移動自在となる移動体とを有し、前記第一連結体と前記移動体との間に、前記第一連結体と前記移動体とを離反方向に付勢する付勢体を設けると共に、前記第二連結体と前記移動体との間に、前記第二連結体と前記移動体とを離反方向に付勢する付勢体を設けて、前記第一連結体と前記第二連結体とを離反方向へ付勢する付勢機構を具備し、前記第一連結体に設けたスライド部若しくはガイド部が相対移動するガイド部を前記第二連結体に設けた構成の相対移動付勢装置が開示されている。
【０００８】
これらの従来例は、付勢体によって本体部に対して重合部を所定長スライドさせるまで、重合部が戻り方向へ戻りスライド移動する付勢が生じ、所定長スライドさせると逆に進み方向に進みスライド移動する進み付勢が生じるように、本体部に対して重合部をスライド付勢する付勢作用が発揮されるようになっている。
【先行技術文献】
【特許文献】
【０００９】
【特許文献１】特開２００２−３００２４３号公報
【特許文献２】特開２００５−１０９９７号公報
【特許文献３】特開２００７−１１０７２６号公報，
【特許文献４】特許第４２１４１６９号公報
【考案の概要】
【００１０】
本考案は、ばねの座屈を抑え、故障の少ない「強度」「耐久性」が格段に向上したコンパクトな電気機器用のスライド式ばね機構を提供する。そして、スライド式ばね機構１５において、ステンレス製の矩形状薄板の長手方向の左側面部１６ａ，右側面部１６ｂにそれぞれ波状湾曲部１７を形成し、各左，右側面部の波状湾曲部１７を所定の隙間部１８を持って前記薄板の底板上面側１６ｃの底板中央部１９に対峙させて折曲形成する共に、前記底板中央部１９には鋭角状に切起こした一対のスライド案内部２０を形成した相対移動部材１６と、ステンレス製の長尺状細幅薄板により形成され、前記スライド案内部１６に摺動するスライド係合部２３を有する左，右連結体２１，２２と、複数のばね部材２７，２８とで構成すると共に、前記複数のばね部材２７，２８の上面は前記相対移動部材１６の波状湾曲部１７となるトンネル中に収納して覆う構成としたものである。
【考案の開示】
【考案が解決しようとする課題】
【００１１】
しかるに、前記特開２００７−１１０７２６号公報の従来例は、第一連結体と第二連結体との間にスライド付勢体を架設状態に設けた構造であり、第一連結体と第二連結体とをスライド移動させた分だけスライド付勢体が変位（収縮）する構造である。
【００１２】
したがって、第一連結体と第二連結体とのスライド量（ストローク）を多く得ようとすれば、それだけスライド付勢体に負担が係り付勢力の低下（所謂へたり）が起き易くなってしまい、ひいてはスライド付勢体に制限されて相対移動付勢装置自体は勿論のこと、相対移動付勢装置を具備せしめる部位をそれぞれコンパクト化するにも限界がある。
【００１３】
また、特許第４２１４１６９号公報が開示する従来例によれば、公報に開示される図５〜７に示すように可動本体を構成する前記第一連結体と第二連結体及び前記移動体はそれぞれ樹脂成形品にスチール製スプリングを組み合わせて構成しており、スプリングが露出した状態となっているため組み付け等においての不具合、あるいは樹脂成形品であることによる耐久性が極めて悪いという問題点があった。
【００１４】
本考案は、上記のような従来の問題を解決するためになされたもので、今回の開発品は、スライド式ばね機構において、ステンレス製の矩形状薄板の長手方向の左側面部，右側面部にそれぞれ波状湾曲部を形成し、各左，右側面部の波状湾曲部を所定の隙間部を持って前記薄板の底板上面側の中央部に対峙させて折曲形成する共に、前記底板中央部には鋭角状に切起こした一対のスライド案内部を形成した相対移動部材と、ステンレス製の長尺状細幅薄板により形成され、前記スライド案内部に摺動するスライド係合部を有する左，右連結体と、複数のばね部材とで構成すると共に、前記複数のばね部材の上面は前記相対移動部材の波状湾曲部となるトンネル中に収納して覆う構成としたので、ばねの座屈を抑えることが可能となり、より故障の少ない「強度」「耐久性」が格段に向上したスライド式ばね機構を提供でき、従来品よりコンパクトにできる。
【００１５】
更に、組立てに関してもばね取付け用の波状湾曲部となるトンネル挿入部が形成されているので、組付けが容易になり専用機による自動組立ても可能である電子機器用のスライド式ばね機構を提供することを目的とする。
【課題を解決するための手段】
【００１６】
上記目的を達成するために、本考案の電子機器用のスライド式ばね機構に係る請求項１の考案は、重合配設された上部部材及び下部部材の摺動面に取り付けられたスライドモジュール間に設置され、前記上部部材及び下部部材が相対移動によるスライドを可能としたスライド式ばね機構を有する電子機器用のスライド式ばね機構であって、前記スライド式ばね機構は、ステンレス製の矩形状薄板の長手方向の左側面部，右側面部にそれぞれ波状湾曲部を形成し、各左側面部，右側面部の波状湾曲部を、前記薄板の底板上面側に対して一定の隙間部を持たせて底板中央部に対峙させて折曲形成した相対移動部材と、前記相対移動部材の両側に形成された左右の前記隙間部より先端部がそれぞれ前方側及び後方側に突設するようにスライド可能に収納されると共に、それぞれの先端部には前記重合配設された上部部材及び下部部材の摺動面に取り付けられたスライドモジュールと連結する取付部を有するステンレス製の長尺状細幅薄板によって形成された左，右連結体と、前記相対移動部の波状湾曲部と左，右連結体の上面側によって形成される隙間部に配設され、一端が前記相対移動部材に固定され、他端が前記左，右連結体に固定される複数のばね部材とから構成されていることを特徴とする。
【００１７】
請求項２の考案は、請求項１記載の電子機器用のスライド式ばね機構において、前記相対移動部は、前記底板中央部に長手方向に底板平面に対して鋭角状に切起した一対のスライド案内部が形成されていることを特徴とする。
【００１８】
請求項３の考案は、請求項１または請求項２に記載の電子機器用のスライド式ばね機構において、前記左，右連結体には、前記スライド案内部に係合する摺動面を備えたスライド係合部と、前記波状湾曲部の折曲げ開放端の上面を摺動する保持部を有することを特徴とする。
【００１９】
請求項４の考案は、請求項２項に記載の電子機器用のスライド式ばね機構において、前記相対移動部材の前記底板中央部に形成した鋭角状に切起こした一対のスライド案内部の切起こし角度は２０度〜６０度、好ましくは４５度であることを特徴とする。
【００２０】
請求項５の考案は、請求項１記載の電子機器用のスライド式ばね機構において、一端が前記相対移動部材の前，後部にそれぞれ形成した取付部に固定され、他端が前記左，右連結体に切起こし形成した取着部に固定される複数のコイル状ばね部材とから構成し、前記下部部材に対して前記上部部材を所定移動範囲だけ相対移動させるまでは、前記上部部材が戻り方向へ戻り相対移動する戻り付勢が生じ、所定移動範囲だけ相対移動させると逆に進み方向に進み相対移動する進み付勢が生じるようにしたことを特徴とする。
【考案の効果】
【００２１】
本考案にかかる電子機器用のスライド式ばね機構は、スライド式ばね機構において、ステンレス製の矩形状薄板の長手方向の左側面部，右側面部にそれぞれ波状湾曲部を形成し、左側面部，右側面部の波状湾曲部を所定の隙間部を持って前記薄板の底板上面側の中央部に対峙させて折曲形成する共に、前記底板中央部には鋭角状に切起こした一対のスライド案内部を形成した相対移動部材と、ステンレス製の長尺状細幅薄板によって形成された左，右連結体と、複数のばね部材とで構成すると共に、前記複数のばね部材の上面は前記相対移動部材の波状湾曲部となるトンネル中に収納して覆う構成としたので、ばねの座屈を抑えることが可能となり、より故障の少ない「強度」「耐久性」が格段に向上したスライド式ばね機構を提供でき、従来品よりコンパクトにできる効果を奏する。
【００２２】
更に、組立てに関してもばね取付け用の波状湾曲部となるトンネル挿入部が形成されているので、組付けが容易になり専用機による自動組立ても可能である効果がある。
【図面の簡単な説明】
【００２３】
【図１】本考案の実施の形態における電子機器用のスライド式ばね機構        の全体の斜視図。
【図２】本考案の実施の形態における電子機器用のスライド式ばね機構        の全体の構成を裏面より視た背面図。
【図３】本考案の実施の形態における電子機器用のスライド式ばね機構      の分解斜視図。
【図４】本考案の実施の形態における電子機器用のスライド式ばね機構における図３のＡ−Ａ線断面図。
【図５】本考案の実施の形態における電子機器用のスライド式ばね機構における図３のＢ−Ｂ線断面図。
【図６】本考案の実施の形態における電子機器用のスライド式ばね機構における図３のＣ−Ｃ線断面図。
【図７】本考案の実施の形態における電子機器用のスライド式ばね機構における図１のＤ−Ｄ線断面図。
【図８】本考案の実施の形態における電子機器用のスライド式ばね機構を携帯電話機に適用した場合の不使用状態の説明図。
【図９】本考案の実施の形態における電子機器用のスライド式ばね機構を携帯電話機に適用した場合の使用状態におけるスライド状態を示す説明図。
【考案を実施するための最良の形態】
【００２４】
次に、本考案に係る電子機器用のスライド式ばね機構の実施の形態について、図面を参照して説明する。なお、本考案の電子機器用のスライド式ばね機構は、以下に説明する実施の形態に限定されるものではない。
【００２５】
本考案における電子機器用のスライド式ばね機構は、重合配設された表示部（上部部材）１０及び操作部（下部部材）１１の互いの重合面１０ａ，１１ａに取り付けられた対応するスライド部材１２，１３からなるスライドモジュール１４間に、前記表示部１０及び操作部１１が相対移動によるスライドを可能としたスライド式ばね機構１５を配設した電子機器用のススライド式形態電話機に適用した場合について説明する。
【００２６】
前記スライド式ばね機構１５は、図１〜図７に示すように、相対移動部材１６と、左，右連結体２５，２６と、一対のコイル状のばね部材２７，２８との組み合わせから構成される。
【００２７】
前記相対移動部材１６は、ステンレス製の矩形状薄板からなり、薄板の長手方向の左側面部１６ａ，右側面部１６ｂにそれぞれ波状湾曲部１７を形成し、各左側面部１６ａ，右側面部１６ｂの波状湾曲部１７をそれぞれ一定の隙間部１８，１８を持って、前記薄板の底板上面側１６ｃの中央部１９に対峙させて折曲形成する共に、前記底板中央部１９には鋭角状に切起こした一対のスライド案内部２０を形成したものである。
【００２８】
なお、前記相対移動部材の前記底板中央部１９に鋭角状に切起こした一対のスライド案内部２０の切起こし角度は２０度〜６０度、好ましくは４５度である。
【００２９】
また、前記左，右連結体２５，２６は、前記左側面部１６ａ，右側面部１６ｂの下方に形成される隙間部１８，１８にスライド可能に収納され、前記隙間部１８，１８よりそれぞれ逆向きに突設する先端部２１，２２を有する寸法のステンレス製の長尺状細幅薄板を呈しており、前記先端部２１，２２にはそれぞれ前記重合配設された表示部１０及び操作部１１の重合面に取り付けられたスライドモジュール１４であるスライド部材１２，１３と連結する取付孔２１ａ，２２ａからなる取付部が形成されていると共に、前記相対移動部材１６に形成した前記スライド案内部２０に側方より係合する摺動面を備えたスライド係合部２３と、前記波状湾曲部１７の折曲げ開放端のそれぞれの上面１６ｄ，１６ｅを摺動する切り起こし保持部２４が形成されたものである。
【００３０】
前記コイル状のばね部材２７，２８は、前記相対移動部１６の波状湾曲部１７と左，右連結体２５，２６の底板上面側によって形成される隙間にそれぞれ配設されている。そして前記ばね部材２７，２８の各一端２７ａ，２８ａは前記相対移動部材１６の切り起し部１６ｆ，２６ｇにおれぞれ固定され、他端２７ｂ，２８ｂが前記左，右連結体２５，２６の切り起し部２５ａ，２６ａにそれぞれ固定されている。
【００３１】
符号２９，３０は前記相対移動部材１６の裏面に形成した案内開口で、この
案内開口２９，３０には、前記左，右連結体２５，２６に切り起こしによって形成したストッパー３１，３２が嵌合して設けられるようになっており、前記ストッパー３１，３２は前記案内開口２９，３０にそれぞれ嵌合されて、前記左，右連結体２５，２６の移動長さを規制するようになっている。
【００３２】
上記のように構成された本考案の電子機器用のスライド式ばね機構１５は、前記相対移動部材１６の左右隙間部１８に突出部が互いに離反する方向に突出する前記左，右連結体２４，２５を挿入すると共に、前記左，右連結体２４，２５の上面側にはそれぞれ２つのコイル状のばね部材２７，２８が配設され、それぞれ一対のコイル状ばね部材２７，２８の上面は、前記相対移動部材１６の波状湾曲部１７によって覆われるように設置固定されている。
【００３３】
前記スライド式ばね機構１５の使用にあっては、重合配設された表示部１０及び操作部１１の互いの重合面に取り付けられたスライドモジュール１４のスライド部材１２，１３間に、前記表示部１０及び操作部１１が相対移動によるスライドを可能としたスライド式ばね機構１５を配設することで、前記操作部１１に対して前記表示部１０を所定移動範囲だけ相対移動させるまでは、前記表示部１０が戻り方向へ戻り相対移動する戻り付勢が生じ、所定移動範囲だけ相対移動させると逆に進み方向に進み相対移動する進み付勢が生じて携帯電話機が使用開放状態になると共に、携帯電話機の不使用による閉塞状態にあって、前記開放状態と同様に相対移動する進み付勢が生じるようになっている。
【符号の説明】
【００３４】
１０    表示部（上部部材）
１１    操作部（下部部材）
１２，１３    スライド部材
１４    スライドモジュール
１５    スライド式ばね機構
１６    相対移動部材
１６ａ，１６ｂ  左，右側面部
１６ｃ  底板上面側
１７    波状湾曲部
１８    隙間部
１９    中央部
２０    スライド案内部
２１ａ，２２ａ    取付孔（取付部）
２３    スライド係合部
２４    切り起し保持部  
２５，２６  左，右連結体
２７，２８  コイル状のばね部材
２９  ３０  案内開口
３１，３２  ストッパー
【図１】
0003159545.tif 000003
【図２】
0003159545.tif 000004
【図３】
0003159545.tif 000005
【図４】
0003159545.tif 000006
【図５】
0003159545.tif 000007
【図６】
0003159545.tif 000008
【図７】
0003159545.tif 000009
【図８】
0003159545.tif 000010
【図９】
0003159545.tif 000011
【手続補正書】
【提出日】平成22年3月11日(2010.3.11)
【手続補正１】
【補正対象書類名】実用新案登録請求の範囲
【補正対象項目名】全文
【補正方法】変更
【補正の内容】
【実用新案登録請求の範囲】
【請求項１】
重合配設された上部部材及び下部部材の摺動面に取り付けられたスライドモジュール間に設置され、前記上部部材及び下部部材が相対移動によるスライドを可能としたスライド式ばね機構を有する電子機器用のスライド式ばね機構であって、
前記スライド式ばね機構は、ステンレス製の矩形状薄板の長手方向の左側面部，右側面部にそれぞれ波状湾曲部を形成し、各左側面部，右側面部の波状湾曲部を、前記薄板の底板上面側に対して一定の隙間部を持たせて底板中央部に対峙させて折曲形成した相対移動部材と、  
前記相対移動部材の両側に形成された左右の前記隙間部より先端部がそれぞれ前方側及び後方側に突設するようにスライド可能に収納されると共に、それぞれの先端部には前記重合配設された上部部材及び下部部材の摺動面に取り付けられたスライドモジュールと連結する取付部を有するステンレス製の長尺状細幅薄板に予って形成されたの左，右連結体と、
前記相対移動部材の波状湾曲部と左，右連結体の上面側によって形成される隙間部に配設され、一端が前記相対移動部材に固定され、他端が前記左，右連結体に固定される複数のばね部材とから構成されていることを特徴とする電子機器用のスライド式ばね機構。
【請求項２】
前記相対移動部材は、前記底板中央部に長手方向に底板平面に対して鋭角状に切起した一対のスライド案内部が形成されていることを特徴とする請求項１記載の電子機器用のスライド式ばね機構。
【請求項３】
前記左，右連結体には、前記スライド案内部に係合する摺動面を備えたスライド係合部と、前記波状湾曲部の折曲げ開放端の上面を摺動する保持部を有することを特徴とする請求項２に記載の電子機器用のスライド式ばね機構。
【請求項４】
前記相対移動部材の前記底板中央部に形成した鋭角状に切起こした一対のスライド案内部の切起こし角度は２０度〜６０度、好ましくは４５度であることを特徴とする請求項１または請求項２項に記載の電子機器用のスライド式ばね機構。
【請求項５】
一端が前記相対移動部材の前，後部にそれぞれ形成した取付部に固定され、他端が前記左，右連結体に切起し形成した取着部に固定される複数のコイル状ばね部材とから構成し、前記下部部材に対して前記上部部材を所定移動範囲だけ相対移動させるまでは、前記上部部材が戻り方向へ戻り相対移動する戻り付勢が生じ、所定移動範囲だけ相対移動させると逆に進み方向に進み相対移動する進み付勢が生じるようにしたことを特徴とする請求項１記載の電子機器用のスライド式ばね機構。
【手続補正２】
【補正対象書類名】明細書
【補正対象項目名】全文
【補正方法】変更
【補正の内容】
【考案の詳細な説明】
【技術分野】
【０００１】
本考案は、電子機器用のスライド式ばね機構に関し、特にスライド式の開閉が要求される携帯電話機、ゲーム機、小型コンピュータ等のコンパクトな製品に使用するもので、例えば、携帯電話機などの電子機器に使用する場合は、操作部である下部部材と、これに重合される表示部となる上部部材の重合面にそれぞれ取り付けられたスライドモジュール間に設置して、前記上部，下部部材が容易に相対スライドできるようにした電子機器用のスライド式ばね機構に関する。
【背景技術】
【０００２】
例えば、現在一般に使用されている携帯電話機は、表示部及び操作部となる上部，下部部材を上下に重合して、使用時に一方の重合部を立ち起こして反転させ、前記表示部と操作部を開放状態にして使用に供するもの、或いは、前記重合面を前後方向あるいは左右方向にスライド移動させて表示部と操作部を開放して使用状態にする携帯電話機が知られている。
【０００３】
このような携帯電話機は、例えば特開２００２−３００２４３号公報，特開２００５−１０９９７，特開２００７−１１０７２６号公報，特許第４２１４１６９号公報に開示されている。
【０００４】
しかるに、前記携帯電話機の表示部と操作部とをスライドさせて開放状態にして使用するものにあっては、表示部と操作部の重合面に固着したスライドモジュール間に、重合面をスライドさせるばね機構を備えた相対移動装置が必要となる。
【０００５】
このような重合面をスライドさせるばね機構を備えた相対移動装置の構造については、前記特開２００７−１１０７２６号公報、特許第４２１４１６９号に開示されている。
【０００６】
前記特開２００７−１１０７２６号公報には、本体部に回転可能に連結される第一連結体と、該第一連結体に長手方向にスライド自在に連結されて重合部に回転可能に連結される第二連結体と、前記第一連結体と第二連結体との間に設置されてスライド付勢するスライド付勢体（スプリングバネ）とから構成されているものが開示されている。
【０００７】
また、特許第４２１４１６９号公報には、相対移動自在に連結する第一部材と第二部材との相対移動を付勢する相対移動付勢装置であって、前記第一部材に連結する第一連結体と、この第一連結体に対して離反方向に移動自在となり前記第二部材に連結する第二連結体と、前記第一連結体及び前記第二連結体に対して離反方向に移動自在となる移動体とを有し、前記第一連結体と前記移動体との間に、前記第一連結体と前記移動体とを離反方向に付勢する付勢体を設けると共に、前記第二連結体と前記移動体との間に、前記第二連結体と前記移動体とを離反方向に付勢する付勢体を設けて、前記第一連結体と前記第二連結体とを離反方向へ付勢する付勢機構を具備し、前記第一連結体に設けたスライド部若しくはガイド部が相対移動するガイド部を前記第二連結体に設けた構成の相対移動付勢装置が開示されている。
【０００８】
これらの従来例は、付勢体によって本体部に対して重合部を所定長スライドさせるまで、重合部が戻り方向へ戻りスライド移動する付勢が生じ、所定長スライドさせると逆に進み方向に進みスライド移動する進み付勢が生じるように、本体部に対して重合部をスライド付勢する付勢作用が発揮されるようになっている。
【先行技術文献】
【特許文献】
【０００９】
【特許文献１】特開２００２−３００２４３号公報
【特許文献２】特開２００５−１０９９７号公報
【特許文献３】特開２００７−１１０７２６号公報，
【特許文献４】特許第４２１４１６９号公報
【考案の概要】
【００１０】
本考案は、ばねの座屈を抑え、故障の少ない「強度」「耐久性」が格段に向上したコンパクトな電気機器用のスライド式ばね機構を提供する。そして、スライド式ばね機構１５において、ステンレス製の矩形状薄板の長手方向の左側面部１６ａ，右側面部１６ｂにそれぞれ波状湾曲部１７を形成し、各左，右側面部の波状湾曲部１７を所定の隙間部１８を持って前記薄板の底板上面側１６ｃの底板中央部１９に対峙させて折曲形成する共に、前記底板中央部１９には鋭角状に切起こした一対のスライド案内部２０を形成した相対移動部材１６と、ステンレス製の長尺状細幅薄板により形成され、前記スライド案内部１６に摺動するスライド係合部２３を有する左，右連結体２１，２２と、複数のばね部材２７，２８とで構成すると共に、前記複数のばね部材２７，２８の上面は前記相対移動部材１６の波状湾曲部１７となるトンネル中に収納して覆う構成としたものである。
【考案の開示】
【考案が解決しようとする課題】
【００１１】
しかるに、前記特開２００７−１１０７２６号公報の従来例は、第一連結体と第二連結体との間にスライド付勢体を架設状態に設けた構造であり、第一連結体と第二連結体とをスライド移動させた分だけスライド付勢体が変位（収縮）する構造である。
【００１２】
したがって、第一連結体と第二連結体とのスライド量（ストローク）を多く得ようとすれば、それだけスライド付勢体に負担が係り付勢力の低下（所謂へたり）が起き易くなってしまい、ひいてはスライド付勢体に制限されて相対移動付勢装置自体は勿論のこと、相対移動付勢装置を具備せしめる部位をそれぞれコンパクト化するにも限界がある。
【００１３】
また、特許第４２１４１６９号公報が開示する従来例によれば、公報に開示される図５〜７に示すように可動本体を構成する前記第一連結体と第二連結体及び前記移動体はそれぞれ樹脂成形品にスチール製スプリングを組み合わせて構成しており、スプリングが露出した状態となっているため組み付け等においての不具合、あるいは樹脂成形品であることによる耐久性が極めて悪いという問題点があった。
【００１４】
本考案は、上記のような従来の問題を解決するためになされたもので、今回の開発品は、スライド式ばね機構において、ステンレス製の矩形状薄板の長手方向の左側面部，右側面部にそれぞれ波状湾曲部を形成し、各左，右側面部の波状湾曲部を所定の隙間部を持って前記薄板の底板上面側の中央部に対峙させて折曲形成する共に、前記底板中央部には鋭角状に切起こした一対のスライド案内部を形成した相対移動部材と、ステンレス製の長尺状細幅薄板により形成され、前記スライド案内部に摺動するスライド係合部を有する左，右連結体と、複数のばね部材とで構成すると共に、前記複数のばね部材の上面は前記相対移動部材の波状湾曲部となるトンネル中に収納して覆う構成としたので、ばねの座屈を抑えることが可能となり、より故障の少ない「強度」「耐久性」が格段に向上したスライド式ばね機構を提供でき、従来品よりコンパクトにできる。
【００１５】
更に、組立てに関してもばね取付け用の波状湾曲部となるトンネル挿入部が形成されているので、組付けが容易になり専用機による自動組立ても可能である電子機器用のスライド式ばね機構を提供することを目的とする。
【課題を解決するための手段】
【００１６】
上記目的を達成するために、本考案の電子機器用のスライド式ばね機構に係る請求項１の考案は、重合配設された上部部材及び下部部材の摺動面に取り付けられたスライドモジュール間に設置され、前記上部部材及び下部部材が相対移動によるスライドを可能としたスライド式ばね機構を有する電子機器用のスライド式ばね機構であって、前記スライド式ばね機構は、ステンレス製の矩形状薄板の長手方向の左側面部，右側面部にそれぞれ波状湾曲部を形成し、各左側面部，右側面部の波状湾曲部を、前記薄板の底板上面側に対して一定の隙間部を持たせて底板中央部に対峙させて折曲形成した相対移動部材と、前記相対移動部材の両側に形成された左右の前記隙間部より先端部がそれぞれ前方側及び後方側に突設するようにスライド可能に収納されると共に、それぞれの先端部には前記重合配設された上部部材及び下部部材の摺動面に取り付けられたスライドモジュールと連結する取付部を有するステンレス製の長尺状細幅薄板によって形成された左，右連結体と、前記相対移動部材の波状湾曲部と左，右連結体の上面側によって形成される隙間部に配設され、一端が前記相対移動部材に固定され、他端が前記左，右連結体に固定される複数のばね部材とから構成されていることを特徴とする。
【００１７】
請求項２の考案は、請求項１記載の電子機器用のスライド式ばね機構において、前記相対移動部材は、前記底板中央部に長手方向に底板平面に対して鋭角状に切起した一対のスライド案内部が形成されていることを特徴とする。
【００１８】
請求項３の考案は、請求項２に記載の電子機器用のスライド式ばね機構において、前記左，右連結体には、前記スライド案内部に係合する摺動面を備えたスライド係合部と、前記波状湾曲部の折曲げ開放端の上面を摺動する保持部を有することを特徴とする。
【００１９】
請求項４の考案は、請求項２項に記載の電子機器用のスライド式ばね機構において、前記相対移動部材の前記底板中央部に形成した鋭角状に切起こした一対のスライド案内部の切起こし角度は２０度〜６０度、好ましくは４５度であることを特徴とする。
【００２０】
請求項５の考案は、請求項１記載の電子機器用のスライド式ばね機構において、一端が前記相対移動部材の前，後部にそれぞれ形成した取付部に固定され、他端が前記左，右連結体に切起こし形成した取着部に固定される複数のコイル状ばね部材とから構成し、前記下部部材に対して前記上部部材を所定移動範囲だけ相対移動させるまでは、前記上部部材が戻り方向へ戻り相対移動する戻り付勢が生じ、所定移動範囲だけ相対移動させると逆に進み方向に進み相対移動する進み付勢が生じるようにしたことを特徴とする。
【考案の効果】
【００２１】
本考案にかかる電子機器用のスライド式ばね機構は、スライド式ばね機構において、ステンレス製の矩形状薄板の長手方向の左側面部，右側面部にそれぞれ波状湾曲部を形成し、左側面部，右側面部の波状湾曲部を所定の隙間部を持って前記薄板の底板上面側の中央部に対峙させて折曲形成する共に、前記底板中央部には鋭角状に切起こした一対のスライド案内部を形成した相対移動部材と、ステンレス製の長尺状細幅薄板によって形成された左，右連結体と、複数のばね部材とで構成すると共に、前記複数のばね部材の上面は前記相対移動部材の波状湾曲部となるトンネル中に収納して覆う構成としたので、ばねの座屈を抑えることが可能となり、より故障の少ない「強度」「耐久性」が格段に向上したスライド式ばね機構を提供でき、従来品よりコンパクトにできる効果を奏する。
【００２２】
更に、組立てに関してもばね取付け用の波状湾曲部となるトンネル挿入部が形成されているので、組付けが容易になり専用機による自動組立ても可能である効果がある。
【図面の簡単な説明】
【００２３】
【図１】本考案の実施の形態における電子機器用のスライド式ばね機構の全体の斜視図。
【図２】本考案の実施の形態における電子機器用のスライド式ばね機構の全体の構成を裏面より視た背面図。
【図３】本考案の実施の形態における電子機器用のスライド式ばね機構の分解斜視図。
【図４】本考案の実施の形態における電子機器用のスライド式ばね機構における図３のＡ−Ａ線断面図。
【図５】本考案の実施の形態における電子機器用のスライド式ばね機構における図３のＢ−Ｂ線断面図。
【図６】本考案の実施の形態における電子機器用のスライド式ばね機構における図３のＣ−Ｃ線断面図。
【図７】本考案の実施の形態における電子機器用のスライド式ばね機構における図１のＤ−Ｄ線断面図。
【図８】本考案の実施の形態における電子機器用のスライド式ばね機構を携帯電話機に適用した場合の不使用状態の説明図。
【図９】本考案の実施の形態における電子機器用のスライド式ばね機構を携帯電話機に適用した場合の使用状態におけるスライド状態を示す説明図。
【考案を実施するための最良の形態】
【００２４】
次に、本考案に係る電子機器用のスライド式ばね機構の実施の形態について、図面を参照して説明する。なお、本考案の電子機器用のスライド式ばね機構は、以下に説明する実施の形態に限定されるものではない。
【００２５】
本考案における電子機器用のスライド式ばね機構は、重合配設された表示部（上部部材）１０及び操作部（下部部材）１１の互いの重合面１０ａ，１１ａに取り付けられた対応するスライド部材１２，１３からなるスライドモジュール１４間に、前記表示部１０及び操作部１１が相対移動によるスライドを可能としたスライド式ばね機構１５を配設した電子機器用のススライド式形態電話機に適用した場合について説明する。
【００２６】
前記スライド式ばね機構１５は、図１〜図７に示すように、相対移動部材１６と、左，右連結体２５，２６と、一対のコイル状のばね部材２７，２８との組み合わせから構成される。
【００２７】
前記相対移動部材１６は、ステンレス製の矩形状薄板からなり、薄板の長手方向の左側面部１６ａ，右側面部１６ｂにそれぞれ波状湾曲部１７を形成し、各左側面部１６ａ，右側面部１６ｂの波状湾曲部１７をそれぞれ一定の隙間部１８，１８を持って、前記薄板の底板上面側１６ｃの中央部１９に対峙させて折曲形成する共に、前記底板中央部１９には鋭角状に切起こした一対のスライド案内部２０を形成したものである。
【００２８】
なお、前記相対移動部材の前記底板中央部１９に鋭角状に切起こした一対のスライド案内部２０の切起こし角度は２０度〜６０度、好ましくは４５度である。
【００２９】
また、前記左，右連結体２５，２６は、前記左側面部１６ａ，右側面部１６ｂの下方に形成される隙間部１８，１８にスライド可能に収納され、前記隙間部１８，１８よりそれぞれ逆向きに突設する先端部２１，２２を有する寸法のステンレス製の長尺状細幅薄板を呈しており、前記先端部２１，２２にはそれぞれ前記重合配設された表示部１０及び操作部１１の重合面に取り付けられたスライドモジュール１４であるスライド部材１２，１３
と連結する取付孔２１ａ，２２ａからなる取付部が形成されていると共に、前記相対移動部材１６に形成した前記スライド案内部２０に側方より係合する摺動面を備えたスライド係合部２３と、前記波状湾曲部１７の折曲げ開放端のそれぞれの上面１６ｄ，１６ｅを摺動する切り起こし保持部２４が形成されたものである。
【００３０】
前記コイル状のばね部材２７，２８は、前記相対移動部１６の波状湾曲部１７と左，右連結体２５，２６の底板上面側によって形成される隙間にそれぞれ配設されている。そして前記ばね部材２７，２８の各一端２７ａ，２８ａは前記相対移動部材１６の切り起し部１６ｆ，２６ｇにおれぞれ固定され、他端２７ｂ，２８ｂが前記左，右連結体２５，２６の切り起し部２５ａ，２６ａにそれぞれ固定されている。
【００３１】
符号２９，３０は前記相対移動部材１６の裏面に形成した案内開口で、この
案内開口２９，３０には、前記左，右連結体２５，２６に切り起こしによって形成したストッパー３１，３２が嵌合して設けられるようになっており、前記ストッパー３１，３２は前記案内開口２９，３０にそれぞれ嵌合されて、前記左，右連結体２５，２６の移動長さを規制するようになっている。
【００３２】
上記のように構成された本考案の電子機器用のスライド式ばね機構１５は、前記相対移動部材１６の左右隙間部１８に突出部が互いに離反する方向に突出する前記左，右連結体２４，２５を挿入すると共に、前記左，右連結体２４，２５の上面側にはそれぞれ２つのコイル状のばね部材２７，２８が配設され、それぞれ一対のコイル状ばね部材２７，２８の上面は、前記相対移動部材１６の波状湾曲部１７によって覆われるように設置固定されている。
【００３３】
前記スライド式ばね機構１５の使用にあっては、重合配設された表示部１０及び操作部１１の互いの重合面に取り付けられたスライドモジュール１４のスライド部材１２，１３間に、前記表示部１０及び操作部１１が相対移動によるスライドを可能としたスライド式ばね機構１５を配設することで、前記操作部１１に対して前記表示部１０を所定移動範囲だけ相対移動させるまでは、前記表示部１０が戻り方向へ戻り相対移動する戻り付勢が生じ、所定移動範囲だけ相対移動させると逆に進み方向に進み相対移動する進み付勢が生じて携帯電話機が使用開放状態になると共に、携帯電話機の不使用による閉塞状態にあって、前記開放状態と同様に相対移動する進み付勢が生じるようになっている。
【符号の説明】
【００３４】
１０    表示部（上部部材）
１１    操作部（下部部材）
１２，１３    スライド部材
１４    スライドモジュール
１５    スライド式ばね機構
１６    相対移動部材
１６ａ，１６ｂ  左，右側面部
１６ｃ  底板上面側
１７    波状湾曲部
１８    隙間部
１９    中央部
２０    スライド案内部
２１ａ，２２ａ    取付孔（取付部）
２３    スライド係合部
２４    切り起し保持部  
２５，２６  左，右連結体
２７，２８  コイル状のばね部材
２９  ３０  案内開口
３１，３２  ストッパー